(57)【要約】【課題】洗浄槽の前部に装備されている機器類が損傷されることを回避し、しかも、洗浄槽に対して扉体を装着した状態において、扉体の裏側から浸入した湯水がキッチンの床面を汚損することを回避できる食器洗浄機を提供する。【解決手段】洗浄槽２と扉体３との間に位置されて、洗浄槽２の前部の洗浄槽上下幅方向の全体及び洗浄槽横幅方向の全体を覆う前カバーＭが、洗浄槽２の前部に装着され、前カバーＭに、その前カバーＭと扉体３との間の上端から浸入してそれらの間を流下する湯水を前カバー横幅方向の全幅又はその全幅に近い範囲で受け止め、受け止めた湯水を前カバーＭを通過させてその後面側に流動させて、本体ケーシング又は洗浄槽２に設けられた水受け部に流下させる前カバー通過案内部Ｚが設けられている。【選択図】図２５
2014171675.tif 000002
【特許請求の範囲】
【請求項１】
洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、
前記洗浄槽が前記収納位置に位置する状態において前記洗浄槽挿脱用開口を閉じる扉体が、前記洗浄槽の前部の洗浄槽上下幅方向の全体及び洗浄槽横幅方向の全体を覆う状態で、前記洗浄槽の前部に装着された食器洗浄機であって、
前記洗浄槽と前記扉体との間に位置されて、前記洗浄槽の前部の前記洗浄槽上下幅方向の全体及び前記洗浄槽横幅方向の全体を覆う前カバーが、前記洗浄槽の前部に装着され、
前記前カバーに、その前カバーと前記扉体との間の上端から浸入してそれらの間を流下する湯水を前カバー横幅方向の全幅又はその全幅に近い範囲で受け止め、受け止めた湯水を前記前カバーを通過させてその後面側に流動させて、前記本体ケーシング又は前記洗浄槽に設けられた水受け部に流下させる前カバー通過案内部が設けられている食器洗浄機。
【請求項２】
前記前カバー通過案内部が、前記前カバーの前面部の上端側において、湯水を受け止め且つ受け止めた湯水を前記前カバーを通過させてその後面側に流動させるように作用する上方側作用部と、その上方側作用部が湯水を受け止める箇所よりも下方側にて、湯水を受け止め且つ受け止めた湯水を前記前カバーを通過させてその後面側に流動させるように作用する下方側作用部とを備えて構成されている請求項１に記載の食器洗浄機。
【請求項３】
前記上方側作用部が、前記前カバーの前面部における上端側の部分に、その前面部から前方に突出する状態で、前記前カバー横幅方向に沿って伸びるように設けられた上側前方突出部と、その上側前方突出部の上面部にて受けられた湯水を受け入れて前記前カバーの後面側に流出させるべく、前記前カバー横幅方向に伸びる状態で前記前カバーに形成された通水スリットと、その通水スリットから流出した湯水を前記前カバーの後方側に流動させて前記水受け部に流下させる後方側流動案内部を備えて構成されている請求項２に記載の食器洗浄機。
【請求項４】
前記後方側流動案内部が、前記通水スリットから流出した湯水を受けるべく、前記前カバーの後面部から後方に突出する状態で、前記通水スリットにおける前記前カバー横幅方向の全幅にわたって設けられた上側後方突出部を備えて構成され、
前記上側後方突出部における前記前カバー横幅方向の所定の箇所に、前カバー上下幅方向に貫通する流下孔が設けられ、
前記上側後方突出部の上面部に、凹溝状の導水溝が、その底部が前記流下孔に近づくほど下位となる傾斜状になる状態で、前記前カバー横幅方向に沿って設けられている請求項３に記載の食器洗浄機。
【請求項５】
前記下方側作用部が、上面部が前記前カバー横幅方向の一端の流下用端部側ほど下位となる傾斜状になる形態で、前記前カバーの前面部から前方に突出する状態で設けられた下側前方突出部と、その下側前方突出部の上面部の前記流下用端部から流下する湯水を流下案内すべく、後方側に凹む凹溝状で前記前カバー上下幅方向に沿って設けられた流下案内路と、その流下案内路を流下する湯水を受け止めるべく、前記流下案内路の下端を閉止する形態で設けられた流下案内路閉止部と、その流下案内路閉止部にて受け止められた湯水を受け入れて前記前カバーの後面側に流出させるべく、前記前カバーにおける前記流下案内路の下端に相当する箇所に形成された通水孔と、その通水孔から流出した湯水を前記前カバーの後方側に流動させて前記水受け部に流下させるべく、前記前カバーの後面部から後方に突出する状態で設けられた下側後方突出部とを備えて構成されている請求項４に記載の食器洗浄機。
【請求項６】
前記扉体と前記前カバーの前記上側前方突出部との間、及び、前記扉体と前記前カバーの前記下側前方突出部との間の夫々に、夫々の間を封止するシール部材が設けられている請求項５に記載の食器洗浄機。
【請求項７】
前記扉体が、その後面に取り付けた係合体を前記洗浄槽の前部に取り付けた係合部に係合させた状態で、前記洗浄槽の前部に装着されるように構成され、
前記前カバーに、前記係合体を構成する部材、又は、前記係合部を構成する部材を挿通する挿通開口が設けられ、
前記前カバーの前面部における前記挿通開口の上方側の部分に、前記前カバーの前面部から前方に庇状に突出する庇状突出部が設けられている請求項１〜６のいずれか１項に記載の食器洗浄機。
【発明の詳細な説明】
【技術分野】
【０００１】
本発明は、洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、前記洗浄槽が前記収納位置に位置する状態において前記洗浄槽挿脱用開口を閉じる扉体が、前記洗浄槽の前部の洗浄槽上下幅方向の全体及び洗浄槽横幅方向の全体を覆う状態で、前記洗浄槽の前部に装着された食器洗浄機に関する。
【背景技術】
【０００２】
かかる食器洗浄機は、通常、キッチンカウンタの下方に、引出し式の収納部等の複数の収納部と並ぶ状態で設置されて、皿や茶碗等の食器類を洗浄するのに使用されることになる。
つまり、洗浄槽を本体ケーシングから引き出した引出位置に位置させて、皿や茶碗等の食器類を洗浄槽の内部に収容し、その後、洗浄槽を本体ケーシングの内部の収納位置に位置させて、洗浄運転を行い、洗浄運転が終了した後においては、洗浄槽を本体ケーシングから引き出した引出位置に位置させて、皿や茶碗等の食器類を洗浄槽から取出すことになる。
【０００３】
そして、洗浄槽が収納位置に位置する状態において洗浄槽挿脱用開口を閉じる扉体が、洗浄槽の前部の洗浄槽上下幅方向の全体及び洗浄槽横幅方向の全体を覆う状態で、洗浄槽に装着されている。
この扉体の表面は、通常、キッチンカウンタの下方に配置される複数の収納部や固定パネル等の設置体の表面と、同一の色調で、同一の図柄となるように構成されて、色合い面において外観を美麗な状態にするように意図されている。
しかも、洗浄槽の前面に操作パネル等、収納部や固定パネル等の設置体の表面と色調や図柄の異なる部分が露呈するのを回避して、キッチン全体として統一感のある外観とするように意図されている。（例えば、特許文献１参照。）。
【先行技術文献】
【特許文献】
【０００４】
【特許文献１】特開２００７−９７８０４号公報
【発明の概要】
【発明が解決しようとする課題】
【０００５】
ところで、扉体の表面を、システムキッチンのキッチンカウンタの下方に配置される複数の収納部や固定パネル等の設置体の表面と、同一の色調で、同一の図柄となるように構成する場合においては、食器洗浄機を設置する施工現場において、洗浄槽に対して扉体を装着することになる。
【０００６】
すなわち、食器洗浄機の製造会社にて製造された食器洗浄機が、扉体を装着しない状態で食器洗浄機を設置する施工現場に搬送され、システムキッチンの製造会社等によって製作された扉体が、別途、食器洗浄機を設置する施工現場に搬送されることになり、施工現場において、洗浄槽に対して扉体を装着することになる。
【０００７】
つまり、システムキッチンの購入者が、キッチンカウンタの下方に配置される複数の収納部や固定パネル等の設置体の表面の色調や図柄を選ぶと、システムキッチンの製造会社等によって、設置体の表面の色調や図柄と同一となる表面を備える扉体が施工現場に用意されることになり、施工者が、施工現場において、洗浄槽に対して扉体を装着することになる。
【０００８】
そして、施工者が、施工現場にて、洗浄槽に対して扉体を装着する形態の場合には、食器洗浄機の製造会社にて製造された食器洗浄機が、洗浄槽の前部に扉体を装着しないで施工現場に搬送されていると、施工者が洗浄槽の前部に装備されている機器類に触って損傷させる等、洗浄槽の前部に装備されている機器類が損傷される虞があり、改善が望まれるものであった。
【０００９】
また、洗浄槽に対して扉体が装着された後、洗浄槽が本体ケーシングの収納位置に収納されて洗浄運転が行われているときに、洗浄槽の上部の開口から飛び出した湯水（洗浄水等）が扉体の裏側から浸入すると、浸入した湯水が扉体と洗浄槽との間を流下してキッチンの床に滴下し、キッチンの床面を汚損する虞もあり、改善が望まれるものであった。
【００１０】
本発明は、かかる実情に鑑みてなされたものであり、その目的は、洗浄槽の前部に装備されている機器類が損傷されることを回避し、しかも、洗浄槽に対して扉体を装着した状態において、扉体の裏側から浸入した湯水がキッチンの床面を汚損することを回避できる食器洗浄機を提供することにある。
【課題を解決するための手段】
【００１１】
本発明に係る食器洗浄機は、洗浄槽挿脱用開口が前部に形成された本体ケーシングと、前記本体ケーシングの内部の洗浄運転用の収納位置と前記本体ケーシングの前方に引き出された引出位置とにわたって前記洗浄槽挿脱用開口を通して出退移動自在な状態で、前記本体ケーシングに支持された洗浄槽とを備え、前記洗浄槽が前記収納位置に位置する状態において前記洗浄槽挿脱用開口を閉じる扉体が、前記洗浄槽の前部の洗浄槽上下幅方向の全体及び洗浄槽横幅方向の全体を覆う状態で、前記洗浄槽の前部に装着されたものであって、その第１特徴構成は、
前記洗浄槽と前記扉体との間に位置されて、前記洗浄槽の前部の前記洗浄槽上下幅方向の全体及び前記洗浄槽横幅方向の全体を覆う前カバーが、前記洗浄槽の前部に装着され、
前記前カバーに、その前カバーと前記扉体との間の上端から浸入してそれらの間を流下する湯水を前カバー横幅方向の全幅又はその全幅に近い範囲で受け止め、受け止めた湯水を前記前カバーを通過させてその後面側に流動させて、前記本体ケーシング又は前記洗浄槽に設けられた水受け部に流下させる前カバー通過案内部が設けられている点にある。
【００１２】
上記特徴構成によれば、洗浄槽の前部には、その洗浄槽上下幅方向の全体及び洗浄槽横幅方向の全体を覆う状態で前カバーが装着されているため、食器洗浄機を設置する施工作業の際に、洗浄槽の前部に装備された機器類（例えば、食器洗浄機の運転を制御する運転制御部等）が露呈するのを回避することができるので、施工作業に際に、洗浄槽の前部に装備された機器類に触れてそれを損傷させるのを的確に防止することができる。
そして、前カバーと扉体との間から湯水が浸入したとしても、前カバー通過案内部によって、前カバーと扉体との間を流下する湯水を前カバー横幅方向の全幅又はその全幅に近い範囲で受け止め、受け止めた湯水を前カバーを通過させてその後面側に流動させて、本体ケーシング又は洗浄槽に設けられた水受け部に流下させる。
【００１３】
ちなみに、前カバーと洗浄槽との間に浸入した湯水は、前カバーと扉体との間から前カバーの後面側に流動される湯水と同様に、前カバー通過案内部の案内作用にて、水受け部に流動されることになる。
つまり、前カバーは、洗浄槽に対する姿勢が調整される扉体に追随して、扉体に沿う姿勢に変更できるようにするため、上端部が洗浄槽に止着される程度に簡易に位置決めされるものではあるが、その後面側に流動する湯水を、水受け部に流動させることができるように構成されるものである。
そして、前カバーと扉体との間に浸入した湯水や、前カバーと洗浄槽との間に浸入した湯水を、前カバー通過案内部の案内作用にて水受け部に流動させることになるので、扉体の裏側から浸入した湯水がキッチンの床に滴下するのを十分に抑制することができるのである。
従って、洗浄槽の前部に装備されている機器類が損傷されることを回避し、しかも、洗浄槽に対して扉体を装着した状態において、扉体の裏側から浸入した湯水がキッチンの床面を汚損することを回避できる食器洗浄機を提供することができる。
【００１４】
第２特徴構成は、上記第１特徴構成に加えて、
前記前カバー通過案内部が、前記前カバーの前面部の上端側において、湯水を受け止め且つ受け止めた湯水を前記前カバーを通過させてその後面側に流動させるように作用する上方側作用部と、その上方側作用部が湯水を受け止める箇所よりも下方側にて、湯水を受け止め且つ受け止めた湯水を前記前カバーを通過させてその後面側に流動させるように作用する下方側作用部とを備えて構成されている点にある。
【００１５】
上記特徴構成によれば、先ず、上方側作用部により、前カバーと扉体との間を流下する湯水を前カバー横幅方向の全幅又はその全幅に近い範囲で受け止めて、受け止めた湯水を前カバーを通過させてその後面側に流動させて水受け部に流下させる。
上方側作用部により、前カバーと扉体との間を流下する湯水の全てを受け止められず、その上方側作用部が湯水を受け止める箇所を通過して湯水が流下したとしても、下方側作用部により、前カバーと扉体との間を流下する湯水を前カバー横幅方向の全幅又はその全幅に近い範囲で受け止めて、受け止めた湯水を前カバーを通過させてその後面側に流動させて水受け部に流下させる。
つまり、前カバー上下幅方向の２箇所で、前カバー横幅方向の全幅又はその全幅に近い範囲で湯水を受け止めて、受け止めた湯水を前カバーを通過させてその後面側に流動させ、さらに、水受け部に流下させるように構成されている。
従って、扉体の裏側から浸入した湯水がキッチンの床に滴下するのを一層抑制することができるので、扉体の裏側から浸入した湯水がキッチンの床面を汚損するのを一層回避することができる。
【００１６】
第３特徴構成は、上記第２特徴構成に加えて、
前記上方側作用部が、前記前カバーの前面部における上端側の部分に、その前面部から前方に突出する状態で、前記前カバー横幅方向に沿って伸びるように設けられた上側前方突出部と、その上側前方突出部の上面部にて受けられた湯水を受け入れて前記前カバーの後面側に流出させるべく、前記前カバー横幅方向に伸びる状態で前記前カバーに形成された通水スリットと、その通水スリットから流出した湯水を前記前カバーの後方側に流動させて前記水受け部に流下させる後方側流動案内部を備えて構成されている点にある。
【００１７】
上記特徴構成によれば、上方側作用部では、前カバー横幅方向に沿って伸びる上側前方突出部の上面部によって、前カバーと扉体との間を流下する湯水を受け止め、その上側前方突出部の上面部にて受け止められた湯水を通水スリットを通過させて前カバーの後面側に流出させ、その通水スリットから流出した湯水を後方側流動案内部により前カバーの後方側に流動させて、水受け部に流下させる。
つまり、上方側作用部では、前カバーと扉体との間を流下する湯水を下方側作用部よりも先に受け止めることから、その受け止める湯水の量が多い場合が想定される。そこで、受け止めた湯水を前カバー横幅方向に伸びる通水スリットを通過させて、前カバーの後面側に流出させるようにすることにより、受け止めた湯水の量が多くとも、十分に前カバーの後面側に流出させることができるのである。
従って、扉体の裏側から浸入する湯水の量が多くとも、その湯水がキッチンの床に滴下するのを十分に抑制することができるので、扉体の裏側から浸入した湯水がキッチンの床面を汚損するのを回避することができる。
【００１８】
第４特徴構成は、上記第３特徴構成に加えて、
前記後方側流動案内部が、前記通水スリットから流出した湯水を受けるべく、前記前カバーの後面部から後方に突出する状態で、前記通水スリットにおける前記前カバー横幅方向の全幅にわたって設けられた上側後方突出部を備えて構成され、
前記上側後方突出部における前記前カバー横幅方向の所定の箇所に、前カバー上下幅方向に貫通する流下孔が設けられ、
前記上側後方突出部の上面部に、凹溝状の導水溝が、その底部が前記流下孔に近づくほど下位となる傾斜状になる状態で、前記前カバー横幅方向に沿って設けられている点にある。
【００１９】
上記特徴構成によれば、通水スリットから前カバーの後面側に流出した湯水は、上側後方突出部の上面部で受けられてその上面部を流動して、導水溝に流入する。その導水溝の底部は流下孔に近づくほど下位になるように傾斜しているので、導水溝に流入した湯水は、流下孔に向かって流動して、その流下孔から水受け部に落下する。
つまり、前カバー横幅方向での流下孔の設置位置を、前カバー横幅方向において、洗浄槽と前カバーとの間に機器類が存在しない位置に設定する。そうすることにより、前カバー横幅方向に長く伸びる通水スリットから前カバーの後面側に流出した湯水を流下孔に集めて、その流下孔から、洗浄槽と前カバーとの間において機器類が存在しない箇所を通して水受け部に落下させることができるので、洗浄槽と前カバーとの間の機器類が濡れるのを防止することができる。
【００２０】
ところで、通水スリットを前カバー横幅方向に伸びる状態で形成することにより、前カバーの強度が低下する虞があるが、前カバー横幅方向に伸びる上側後方突出部によって、前カバーを補強することができるので、前カバーの強度が低下するのを回避することができる。
従って、前カバーの強度が低下するのを回避すると共に、洗浄槽と前カバーとの間の機器類が濡れるのを防止できながら、洗浄槽の上端部と扉体の上端部との間から浸入する湯水の量が多くとも、上方側作用部によって十分に湯水を受け止めてカバーの後面側に流出させて、水受け部に落下させることができる。
【００２１】
第５特徴構成は、上記第４特徴構成に加えて、
前記下方側作用部が、上面部が前記前カバー横幅方向の一端の流下用端部側ほど下位となる傾斜状になる形態で、前記前カバーの前面部から前方に突出する状態で設けられた下側前方突出部と、その下側前方突出部の上面部の前記流下用端部から流下する湯水を流下案内すべく、後方側に凹む凹溝状で前記前カバー上下幅方向に沿って設けられた流下案内路と、その流下案内路を流下する湯水を受け止めるべく、前記流下案内路の下端を閉止する形態で設けられた流下案内路閉止部と、その流下案内路閉止部にて受け止められた湯水を受け入れて前記前カバーの後面側に流出させるべく、前記前カバーにおける前記流下案内路の下端に相当する箇所に形成された通水孔と、その通水孔から流出した湯水を前記前カバーの後方側に流動させて前記水受け部に流下させるべく、前記前カバーの後面部から後方に突出する状態で設けられた下側後方突出部とを備えて構成されている点にある。
【００２２】
上記特徴構成によれば、上方側作用部により受け止められずに流下する湯水は、下方側作用部の下側前方突出部の上面部により受け止められる。その下側前方突出部の上面部は、前カバー横幅方向の一端の流下用端部側ほど下位となる傾斜状になっているので、下側前方突出部の上面部により受け止められた湯水は、その上面部を流下用端部に向かって集まるように流動して、その流下用端部から流下案内路に流下流入して、その流下案内路を流下する。
そして、流下案内路を流下する湯水は、流下案内路閉止部にて受け止められて、通水孔を通過して前カバーの後面側に流出し、更に、下側後方突出部を前カバーの後方側に流動して、水受け部に流下する。
【００２３】
つまり、上方側作用部により受け止められずに流下する湯水の量は少なくなっていると考えられる。そこで、下方側作用部によって、流下する湯水を前カバー横幅方向の広い範囲で受け止めると共に、受け止めた湯水を前カバー横幅方向の所定の箇所に集めて、前カバーの下端部又は下端部近くにまで流下させてから、前カバーの後面側に流出させることにより、洗浄槽と前カバーとの間の機器類が濡れるのを防止することができる。
従って、下方側作用部によって、洗浄槽と前カバーとの間の機器類が濡れるのを防止しながら、前カバーと扉体との間を流下する湯水を十分に受け止めてカバーの後面側に流出させて、水受け部に落下させることができる。
【００２４】
第６特徴構成は、上記第５特徴構成に加えて、
前記扉体と前記前カバーの前記上側前方突出部との間、及び、前記扉体と前記前カバーの前記下側前方突出部との間の夫々に、夫々の間を封止するシール部材が設けられている点にある。
【００２５】
上記特徴構成によれば、扉体と前カバーの上側前方突出部との間、及び、扉体と前カバーの下側前方突出部との間の夫々が、シール部材により湯水を通さないように封止されているので、各シール部材の水封止作用により、上方側作用部によって湯水を受け止めて前カバーの後面側に流出させる作用、及び、下方側作用部によって湯水を受け止めて前カバーの後面側に流出させる作用を一層増強することができる。
従って、扉体の裏側から浸入した湯水がキッチンの床に滴下するのを更に抑制することができるので、扉体の裏側から浸入した湯水がキッチンの床面を汚損するのを更に回避することができる。
【００２６】
第７特徴構成は、上記第１〜第６特徴構成のいずれか１つに加えて、
前記扉体が、その後面に取り付けた係合体を前記洗浄槽の前部に取り付けた係合部に係合させた状態で、前記洗浄槽の前部に装着されるように構成され、
前記前カバーに、前記係合体を構成する部材、又は、前記係合部を構成する部材を挿通する挿通開口が設けられ、
前記前カバーの前面部における前記挿通開口の上方側の部分に、前記前カバーの前面部から前方に庇状に突出する庇状突出部が設けられている点にある。
【００２７】
上記特徴構成によれば、前カバーと扉体との間を流下する湯水は、挿通開口の上方側に設けられた庇状突出部により受け止められるので、湯水が挿通開口の前方を流下したり、その挿通開口を通って前カバーの後面側に浸入するのを防止することができる。
従って、洗浄槽と扉体との間に前カバーを位置させた状態で、扉体を洗浄槽の前部に装着するのを可能としながら、そのように扉体を洗浄槽の前部に装着するための係合体や係合部が湯水で濡れるのを防止することができる。
【図面の簡単な説明】
【００２８】
【図１】食器洗浄機の斜視図
【図２】扉体の装着部の一部切欠側面図
【図３】洗浄槽の斜視図
【図４】洗浄槽の正面図
【図５】図４におけるＶ−Ｖ線矢視図
【図６】図２におけるＶＩ−ＶＩ線矢視図
【図７】固定受け金具の斜視図
【図８】洗浄槽側レール部材の斜視図
【図９】洗浄槽に前カバーを装着した状態の斜視図
【図１０】扉体に係合体を装着した状態の斜視図
【図１１】係合体の正面図
【図１２】図１１におけるＸＩＩ−ＸＩＩ線矢視図
【図１３】係合体の下方側係合作用部を示す斜視図
【図１４】図１１におけるＸＩＶ−ＸＩＶ線矢視図
【図１５】上方側係合部分の側面図
【図１６】下方側係合部分の側面図
【図１７】前後位置調節用回転体の斜視図
【図１８】係合体と係合部との連結構成を示す斜視図
【図１９】本体ケーシングの前方側部分を示す斜視図
【図２０】前カバーの正面図
【図２１】前カバーの前面側からの斜視図
【図２２】前カバーの後面側からの斜視図
【図２３】前カバーを装着した洗浄槽に対する扉体の装着構成を示す分解斜視図
【図２４】前カバーを装着した洗浄槽に対する扉体の装着構成を示す要部の斜視図
【図２５】図２４におけるＸＸＶ−ＸＸＶ線矢視図
【図２６】システムキッチンの斜視図
【図２７】食器洗浄機をキッチンカウンタに装備した状態の側面図
【発明を実施するための形態】
【００２９】
以下、図面に基づいて、本発明の実施の形態を説明する。
（食器洗浄機の構成）
図１に示すように、洗浄槽挿脱用開口Ａが前部に形成された直方体状の本体ケーシング１が設けられ、平面視形状が四角状でかつ上部が開口された洗浄槽２が、本体ケーシング１の内部の洗浄運転用の収納位置と本体ケーシング１の前方に引き出された引出位置とにわたって洗浄槽挿脱用開口Ａを通して出退移動自在な状態で、本体ケーシング１に支持されて、引出し式の食器洗浄機Ｓが構成されている。
【００３０】
すなわち、引出し式の食器洗浄機Ｓは、洗浄槽２を本体ケーシング１から引き出した引出し状態において、食器類等の洗浄対象物を洗浄槽２の内部に収納し、洗浄槽２を本体ケーシング１の収納位置に収納した収納状態において、洗浄運転を行うように構成されている。
【００３１】
尚、洗浄槽２の下方には、洗浄ポンプ等の機器類が、洗浄槽２に組付けられた状態で配設され、洗浄槽２の内部には、洗浄ノズルや加熱用ヒータ等が配設され、また、洗浄槽２の内部には、食器類等の洗浄対象物を収納する洗浄カゴが、取出し自在に収納されることになるが、それらの構成は周知であるので、本実施形態においては説明を省略する。
【００３２】
また、洗浄槽２を本体ケーシング１に収納した状態において洗浄槽２の上面部を閉塞する内蓋部が、洗浄槽２を本体ケーシング１から引き出した引出し状態では洗浄槽２の上面部を開口するように、洗浄槽２の引き出し及び収納に伴って自動的に開閉される形態で設けられることになるが、その構成は周知であるので、本実施形態においては説明を省略する。
【００３３】
図１及び図１９に示すように、本体ケーシング１の底部は、洗浄槽２の上部の開口から漏出した湯水Ｗを溜めるドレンパン（水受け部に相当する）３７に構成されている。
図１及び図２に示すように、洗浄槽２の前部には、その洗浄槽２が収納位置に位置する状態において洗浄槽挿脱用開口Ａを閉じる扉体３が、洗浄槽２の前部の洗浄槽上下幅方向の全体及び洗浄槽横幅方向の全体を覆う状態で装着されている。また、図２及び図９に示すように、洗浄槽２と扉体３との間に位置されて、洗浄槽２の前部の洗浄槽上下幅方向の全体及び洗浄槽横幅方向の全体を覆う前カバーＭが、洗浄槽２の前部に装着される。
具体的には、扉体３は、その横幅が本体ケーシング１の横幅よりも少し大きく、且つ、その上下幅が本体ケーシング１の上下幅と同じ大きさとなるように構成されている。
さらに、扉体３には、引出し操作用の把手部４が設けられている。
【００３４】
図２６及び図２７に示すように、本実施形態の食器洗浄機Ｓは、システムキッチンＫのキッチンカウンタ８の下方に、引出し式の収納部や固定パネル等の設置体Ｄと並べる状態で設置されるものであって、扉体３の表面が、設置体Ｄの前面部の表面と、同一の色調で、同一の図柄となるように構成されている。
尚、図２６及び図２７においては、食器洗浄機Ｓの下方に、設置体Ｄとして、引出し式の収納部が配置される場合を例示する。
【００３５】
そして、食器洗浄機Ｓの扉体３は、食器洗浄機ＳをシステムキッチンＫに設置する際に、その施工現場にて、洗浄槽２の前部に装着されるものである。そこで、図９に示すように、食器洗浄機Ｓの洗浄槽２の前部には、上述のように前カバーＭが装着されて、洗浄槽２の前部に装備した機器類を覆うように構成されている。
さらに、洗浄槽２の前部に対する扉体３の装着位置を、洗浄槽上下幅方向及び洗浄槽横幅方向において調整可能な扉体装着位置調整機構Ｐ（図１０及び図１８参照）が設けられている。
【００３６】
ちなみに、図２に示すように、洗浄槽２の前端部の上方箇所、つまり、扉体３の上部側部分の後方側箇所には、洗浄運転に関する種々の情報を指令する操作パネルＢが装備されており、洗浄槽２を引出し状態にして、操作パネルＢにて洗浄運転に関する情報を入力し、その後、洗浄槽２を収納状態することによって、運転制御部（図示せず）が、操作パネルＢにて入力された情報に基づいて、洗浄ポンプや加熱用ヒータ等を作動させて洗浄運転を実行するように構成されている。
【００３７】
尚、図示はしないが、洗浄槽２を収納状態にロックするロック装置や、洗浄槽２が収納状態であること検出する収納検出装置が装備されおり、上記運転制御部が、洗浄槽２が収納状態であることを確認しながら、洗浄運転を実行するように構成されている。
【００３８】
図１に示すように、洗浄槽２を本体ケーシング１に対して移動自在に支持する左右一対のスライド式レール機構Ｌが、洗浄槽２の底部の左右両端部に対応する箇所に設けられており、このスライド式レール機構Ｌを介して、洗浄槽２が収納位置と引出位置とにわたって移動自在な状態で本体ケーシング１に支持されている。ちなみに、引出位置においては、洗浄槽２の大部分を本体ケーシング１の外方に露出させる状態に引き出すことができるように構成されている。
【００３９】
つまり、図３〜図５及び図８に示すように、スライド式レール機構Ｌを構成する洗浄槽側レール部材６に、長尺状の洗浄槽接続部材７が装備され、この洗浄槽接続部材７に、洗浄槽２の底部の左右両端部が取付けられている。
尚、洗浄槽側レール部材６は、本体ケーシング１に設けた本体ケーシング側レール部材（図示せず）に対して、スライド自在に係合されることになる。
【００４０】
ちなみに、図３及び図４に示すように、洗浄槽２の左右は、それぞれ、側壁２Ｓにて覆われ、各側壁２Ｓの下端部には、スライド式レール機構Ｌを覆う下方張出部２ｄが延設され、また、図３及び図６に示すように、洗浄槽２の左右の側壁２Ｓの前端部には、洗浄槽２の前面部に設けた機器類を覆う前方張出部２ｆが延設されている。
尚、各側壁２Ｓは、下方張出部２ｄと前方張出部２ｆとを一連に連なる板状で備える形態に、樹脂成型（例えば、ＰＰ樹脂）にて形成されている。
【００４１】
（扉体の装着構成）
上述したように、食器洗浄機Ｓの扉体３は、食器洗浄機ＳをシステムキッチンＫに設置する際に、その施工現場にて、洗浄槽２の前部に装着されるものであり、以下、扉体３を洗浄槽２の前部に装着する構成について説明する。
【００４２】
図１０に示すように、扉体３の後面には、係合体Ｅが取付けられ、そして、洗浄槽２の前部には、図３〜図５に示すように、係合部Ｆが設けられている。
従って、扉体３の後面に取付けた係合体Ｅが、洗浄槽２の前部に設けた係合部Ｆに係合された状態で、扉体３が洗浄槽２の前部に装着されることになる。
【００４３】
係合体Ｅは、上方側の左右一対の係合作用部Ｅｕ、及び、下方側の左右一対の係合作用部Ｅｓを備えるように構成され、そして、係合部Ｆが、係合体Ｅに合わせて、上方側の左右一対の係合作用部Ｅｕの夫々が各別に係合する上方側の左右一対の係合部分Ｆｕ、及び、下方側の左右一対の係合作用部Ｅｓの夫々が各別に係合する下方側の左右一対の係合部分Ｆｓを備えるように構成されている。
【００４４】
つまり、図１８に示すように、上方側の左方の係合作用部Ｅｕと上方側の左方の係合部分Ｆｕとが係合する上方側左方連結部ＵＬ、上方側の右方の係合作用部Ｅｕと上方側の右方の係合部分Ｆｕとが係合する上方側右方連結部ＵＲ、下方側の左方の係合作用部Ｅｓと下方側の左方の係合部分Ｆｓとが係合する下方側左方連結部ＳＬ、及び、下方側の右方の係合作用部Ｅｓと下方側の右方の係合部分Ｆｓとが係合する下方側右方連結部ＳＲの夫々が設けられている。
【００４５】
そして、後述するように、上方側左方連結部ＵＬ、上方側右方連結部ＵＲ、下方側左方連結部ＳＬ及び下方側右方連結部ＳＲの夫々が、係合作用部Ｅｕ、Ｅｓと係合部分Ｆｕ、Ｆｓとを洗浄槽前後幅方向での相対移動を阻止した状態に係合させ、かつ、係合部分Ｆｕ、Ｆｓに対する係合作用部Ｅｕ、Ｅｓの洗浄槽前後幅方向での位置を変更調節自在に構成されている。
【００４６】
係合体Ｅについて説明を加えると、本実施形態においては、図１０に示すように、上方側の左方の係合作用部Ｅｕ及び下方側の左方の係合作用部Ｅｓを上下両端に備える金属製の左方側係合体形成体１０Ｌ、及び、上方側の右方の係合作用部Ｅｕ及び下方側の右方の係合作用部Ｅｓを上下両端に備える金属製の右方側係合体形成体１０Ｒが、扉体３の後面に設けられている。
【００４７】
そして、左方側係合体形成体１０Ｌを扉体３に取付ける左方取付け機構ＪＬ及び右方側係合体形成体１０Ｒを扉体３に取付ける右方取付け機構ＪＲの夫々が設けられて、左方側係合体形成体１０Ｌが、左方取付け機構ＪＬによって扉体３に取付けられ、右方側係合体形成体１０Ｒが、右方取付け機構ＪＲによって扉体３に取付けられている。
本実施形態においては、左方取付け機構ＪＬが、左方側係合体形成体１０Ｌにおける上下の２箇所の夫々に設けられ、また、右方取付け機構ＪＲが、右方側係合体形成体１０Ｒにおける上下の２箇所の夫々に設けられている。
【００４８】
左方取付け機構ＪＬ及び右方取付け機構ＪＲの夫々は、扉体３の洗浄槽横幅方向の位置を調節自在に構成されるものであって、具体的には、左方側係合体形成体１０Ｌ及び右方側係合体形成体１０Ｒを、扉体３の後面にビス１１ｄにて止着される支持金具１１に対して、扉体３の横幅方向（洗浄槽横幅方向）に沿って位置調節自在な状態で取付けるように構成されている。
【００４９】
左方側係合体形成体１０Ｌ及び右方側係合体形成体１０Ｒは、左右対称に構成されるものであり、また、左方取付け機構ＪＬ及び右方取付け機構ＪＲは、同様に構成されるものであるため、以下、右方側係合体形成体１０Ｒ及び右方取付け機構ＪＲを代表にして、その構成について説明し、左方側係合体形成体１０Ｌ及び左方取付け機構ＪＬについては、必要に応じて適宜説明を加える。
【００５０】
図１０及び図１１に示すように、右方側係合体形成体１０Ｒは、扉体３の上下幅方向（洗浄槽上下幅方向）に伸びる断面形状Ｌ型の軸状部１０ａの上下両端に、上方側の係合作用部Ｅｕを形成する上方板状部１０ｕ、及び、下方側の係合作用部Ｅｓを形成する下方板状部１０ｓを備えるものであって、扉体３の横幅方向視において、Ｕ字状に構成されている。
つまり、断面形状Ｌ型の軸状部１０ａは、その長手方向視にて、一辺側部分を扉体３の後面に当て付けた状態に装着されるものであって、軸状部１０ａにおける扉体３から起立姿勢となる他辺側部分に、上方板状部１０ｕ及び下方板状部１０ｓが連設されている。
【００５１】
軸状部１０ａにおける上下の支持金具１１に対応する箇所には、扉体３の横幅方向に伸びる二股状の中間板状部１０ｍが、軸状部１０ａにおける扉体３の後面に当て付けられる一辺側部分から連なる状態で形成され、それら中間板状部１０ｍが、支持金具１１に対して、扉体３の横幅方向に移動自在にかつ扉体３の上下幅方向での移動を規制された状態に係合するように構成されている。
つまり、支持金具１１は、扉体３の厚さ方向視（前後幅方向視）にて、帯板状に構成されるものであって、支持金具１１の上下の縁部に対して、中間板状部１０ｍの内縁部が摺接する状態となるように構成されている。
【００５２】
軸状部１０ａにおける上下の支持金具１１に対応する箇所には、扉体３の横幅方向に伸びる逆Ｕ字状の連結片１０ｒが、軸状部１０ａにおける扉体３から起立姿勢となる他辺側部分に連なる状態で形成されている（図１２及び図１３参照）。
【００５３】
支持金具１１は、図１２及び図１３に明示するように、扉体３の後面にビス１１ｄにて止着される板部分１１ａと、逆Ｕ字状の接続部分１１ｂとを、扉体３の横幅方向に並ぶ状態で備える形態に構成されている。
そして、接続部分１１ｂには、接続体１２が装備され、接続部分１１ｂにおける上壁に相当する部分には、扉体３の横幅方向に沿う長孔１３が形成されている。
【００５４】
接続体１２は、図１２〜図１４に示すように、支持金具１１における接続部分１１ｂと扉体３の後面との間に配置される本体部分１２ａと、本体部分１２ａから上方に突出する突出部分１２ｂとを備える状態に形成されている。
本体部分１２ａが、支持金具１１の接続部分１１ｂに形成した長孔１３の横幅よりも大きな横幅を有する状態に形成され、そして、突出部分１２ｂが、支持金具１１の接続部分１１ｂに形成した長孔１３の横幅よりも小さな横幅となる状態に形成されて、長孔１３を通して、接続部分１１ｂの外方に突出するように構成されている。
つまり、接続体１２は、扉体３の横幅方向に移動自在な状態で、支持金具１１の接続部分１１ｂに装着されている。
【００５５】
接続体１２における突出部分１２ｂが、扉体３の横幅方向に沿って二股状となるように形成されている。
そして、右方側係合体形成体１０Ｒにおける連結片１０ｒの先端が、接続体１２に係合するように構成され、かつ、連結片１０ｒを貫通する頭付ボルト１４が、接続体１２に螺合する状態で設けられている。
【００５６】
すなわち、頭付ボルト１４は、連結片１０ｒと接続体１２とに亘って架設されることになり、締め込みに伴って、接続体１２の本体部分１２ａを支持金具１１の接続部分１１ｂに圧接させて、接続体１２の支持金具１１に対する移動を固定し、かつ、連結片１０ｒを接続体１２に向けて押圧して、接続体１２に対する連結片１０ｒの離脱を阻止する状態に固定するように構成されている。
したがって、頭付ボルト１４を操作しながら、右方側係合体形成体１０Ｒの扉体３に対する横幅方向での位置を調節できるように構成されており、左方側係合体形成体１０Ｌも同様である。
【００５７】
つまり、頭付ボルト１４を緩めた状態において、接続体１２の支持金具１１に対する扉体３の横幅方向での位置を変更しながら、右方側係合体形成体１０Ｒの扉体３に対する横幅方向での位置を変更することができ、かつ、頭付ボルト１４を締め付けた状態において、接続体１２の支持金具１１に対する扉体３の横幅方向での移動を固定することによって、右方側係合体形成体１０Ｒの扉体３に対する横幅方向での移動を固定することができるように構成され、左方側係合体形成体１０Ｌについても同様に構成されている。
【００５８】
以上の説明から明らかな如く、本実施形態においては、右方取付け機構ＪＲが、扉体３に固定した支持金具１１に対して洗浄槽横幅方向に移動自在に且つ扉体３の後面から離間する方向への移動を阻止された状態に支持された接続体１２に対して、右方側係合体形成体１０Ｒから連設した連結片１０ｒを洗浄槽横幅方向に一体移動するように係合させ、且つ、連結片１０ｒと接続体１２とに亘って架設される一つの締付け具としての頭付ボルト１４によって、支持金具１１に対する接続体１２の移動を固定しかつ接続体１２に対する連結片１０ｒの離脱を阻止する状態に固定するように構成されている。
【００５９】
また、左方取付け機構ＪＬが、右方取付け機構ＪＲと同様に、扉体３に固定した支持金具１１に対して洗浄槽横幅方向に移動自在に且つ扉体３の後面から離間する方向への移動を阻止された状態に支持された接続体１２に対して、左方側係合体形成体１０Ｌから連設した連結片１０ｒを洗浄槽横幅方向に一体移動するように係合させ、且つ、連結片１０ｒと接続体１２とに亘って架設される一つの締付け具としての頭付ボルト１４によって、支持金具１１に対する接続体１２の移動を固定しかつ接続体１２に対する連結片１０ｒの離脱を阻止する状態に固定するように構成されている。
【００６０】
そして、本実施形態においては、左方取付け機構ＪＬが、左方側係合体形成体１０Ｌの上下２箇所に対応して設けられるものであるから、左方側係合体形成体１０Ｌの扉体３に対する横幅方向での位置を調節する際には、上下２箇所の頭付ボルト１４を操作しながら行うことになる。
同様に、右方取付け機構ＪＲが、右方側係合体形成体１０Ｒの上下２箇所に対応して設けられるものであるから、右方側係合体形成体１０Ｒの扉体３に対する横幅方向での位置を調節する際には、上下２箇所の頭付ボルト１４を操作しながら行うことになる。
【００６１】
尚、扉体３を洗浄槽２の前部に装着した状態においては、左方側係合体形成体１０Ｌや右方側係合体形成体１０Ｒは、洗浄槽２の前部の係合部Ｆに支持された状態になるものであるから、扉体３を洗浄槽２の前部に装着した状態においては、左方側係合体形成体１０Ｌや右方側係合体形成体１０Ｒに対して、扉体３に取付けた支持金具１１の洗浄槽横幅方向での位置が調節されることになり、この調節によって、洗浄槽２に対する扉体３の洗浄槽横幅方向での位置が調節されることになる。
【００６２】
ちなみに、扉体３を洗浄槽２に装着した状態、つまり、扉体３の後面に取付けた係合体Ｅを洗浄槽２の前部に設けた係合部Ｆに係合させて、扉体３を洗浄槽２の前部に装着した状態においては、左方側係合体形成体１０Ｌ及び右方側係合体形成体１０Ｒが、洗浄槽２における左右の前方張出部２ｆの間に位置するものとなるが、図２及び図６に示すように、洗浄槽２における左右の前方張出部２ｆには、頭付ボルト１４を操作するためのボルト操作用孔１５が形成されているため、扉体３を洗浄槽２に装着した状態においても、頭付ボルト１４を操作しながら、洗浄槽２に対する扉体３の洗浄槽横幅方向での位置を調節できるようになっている。
【００６３】
次に、係合体Ｅにおける上方側の左右一対の係合作用部Ｅｕ及び下方側の左右一対の係合作用部Ｅｓ、並びに、係合部Ｆにおける上方側の左右一対の係合部分Ｆｕ及び下方側の左右一対の係合部分Ｆｓを説明する。
尚、上方側の左右一対の係合作用部Ｅｕは同様に構成され、下方側の左右一対の係合作用部Ｅｓも同様に構成されるものであるため、以下、右方側係合体形成体１０Ｒが備える上方側の右方の係合作用部Ｅｕ、及び、下方側の右方の係合作用部Ｅｓを代表として説明し、左方側係合体形成体１０Ｌが備える上方側の左方の係合作用部Ｅｕ、及び、下方側の左方の係合作用部Ｅｓについては、必要に応じて説明を加える。
【００６４】
また、上方側の左右一対の係合部分Ｆｕは同様に構成され、下方側の左右一対の係合部分Ｆｓも同様に構成されるものであるため、係合部Ｆについても、右方側係合体形成体１０Ｒが備える上方側の右方の係合作用部Ｅｕが係合する上方側の右方の係合部分Ｆｕ、及び、下方側の右方の係合作用部Ｅｓが係合する下方側の右方の係合部分Ｆｓを代表として説明し、上方側の左方の係合部分Ｆｕ及び下方側の左方の係合部分Ｆｓについては必要に応じて説明を加える。
【００６５】
図２、図１０及び図１５に示すように、上方側の右方の係合作用部Ｅｕを形成する右方側係合体形成体１０Ｌの上方板状部１０ｕには、上方側の右方の係合部分Ｆｕが備える前後位置調整用回転体１６に上方より係合する下向き開口状の係合孔１７、及び、固定用ボルト１８が挿通する４角状の挿通孔１９が形成されている。
【００６６】
上方側の右方の係合部分Ｆｕは、図３、図５及び図７に示すように、洗浄槽２の前部の上方箇所にビス止めされる横長状の固定受け金具２０の端部に装備されている。
すなわち、固定受け金具２０は、横長枠体状の本体部２０ａと、その本体部２０ａの両端部の前後方向に沿う姿勢の板状部２０ｂとから構成され、その板状部２０ｂに、前後位置調整用回転体１６が回転自在に支持され、また、固定用ボルト１８が螺合する連結孔２１が形成されている。
【００６７】
前後位置調整用回転体１６は、図１７に示すように、マイナスドライバーの先端が係合する係合溝２２を備えた円盤状の頭部１６Ａと、円柱状の軸部１６Ｂとを備えるものであり、軸部１６Ｂが、頭部１６Ａの中心に対して偏心する状態で、頭部１６Ａに対して接続されて、いわゆる偏心式のカム操作体として構成されている。
そして、前後位置調整用回転体１６の軸部１６Ｂが板状部２０ｂに回転自在に嵌合されており、前後位置調整用回転体１６の頭部１６Ａを回転操作することにより、右方側係合体形成体１０Ｌの上方板状部１０ｕを洗浄槽前後幅方向（扉体３の厚さ方向）に移動させることができるように構成されている。
【００６８】
したがって、上方側の右方の係合作用部Ｅｕは、上方側の右方の係合部分Ｆｕが備える前後位置調整用回転体１６に対して下向き開口状の係合孔１７が係合することにより、上方側の右方の係合部分Ｆｕに対する洗浄槽前後幅方向の移動が阻止され、かつ、洗浄槽上下幅方向の移動が許容されることになり、かつ、前後位置調整用回転体１６の回転操作により、上方側の右方の係合部分Ｆｕに対する洗浄槽前後幅方向での位置が調節されることになる。
【００６９】
そして、上方側の左方の係合作用部Ｅｕも、上方側の右方の係合作用部Ｅｕと同様に、上方側の左方の係合部分Ｆｕに対する洗浄槽前後幅方向の移動が阻止され、かつ、洗浄槽上下幅方向の移動が許容されることになり、かつ、前後位置調整用回転体１６の回転操作により、上方側の左方の係合部分Ｆｕに対する洗浄槽前後幅方向での位置が調節されることになる。
【００７０】
固定用ボルト１８は、右方側係合体形成体１０Ｒの上方板状部１０ｕの挿通孔１９を覆う大きさの頭部を備える又は挿通孔１９を覆う大きさの座金を介在させて装着されるものであって、固定受け金具２０の板状部２０ｂの連結孔２１に螺合させて締め付けることにより、右方側係合体形成体１０Ｒの上方板状部１０ｕを固定受け金具２０の板状部２０ｂに密着させた状態に固定するように構成されている。
【００７１】
図２、図１０及び図１６に示すように、下方側の右方の係合作用部Ｅｓを形成する右方側係合体形成体１０Ｒの下方板状部１０ｓには、下方側の右方の係合部分Ｆｓが備える前後位置調整用回転体２３に上方より係合する下向き開口状の係合孔２４、下方側の右方の係合部分Ｆｓが備える上下位置調整用回転体２５に対して上方から接当する接当部２６、及び、固定用ボルト２７が挿通する４角状の挿通孔２８が形成されている。
【００７２】
下方側の右方の係合部分Ｆｓは、図５及び図８に示すように、洗浄槽側レール部材６に装備した洗浄槽接続部材７の前端部に設けられている。
すなわち、洗浄槽接続部材７の前端部に、前後方向に沿う姿勢の板体２９が上方に向けて起立する状態で設けられ、その板体２９に、前後位置調整用回転体２３及び上下位置調整用回転体２５が回転自在に支持され、また、固定用ボルト２７が螺合する連結孔３０が形成されている。
【００７３】
前後位置調整用回転体２３及び上下位置調整用回転体２５は、上方側の係合部分Ｆｕが備える前後位置調整用回転体１６と同様に、いわゆる偏心式のカム操作体として構成されて、板体２９に回転自在に支持されている。
つまり、前後位置調整用回転体２３を回転操作することにより、右方側係合体形成体１０Ｒの下方板状部１０ｓを洗浄槽前後幅方向（扉体３の厚さ方向）に移動させることができ、また、上下位置調整用回転体２５を回転操作することにより、右方側係合体形成体１０Ｒを洗浄槽上下幅方向（扉体３の上下幅方向）に移動させることができるように構成されている。
【００７４】
したがって、下方側の右方の係合作用部Ｅｓは、下方側の右方の係合部分Ｆｓが備える前後位置調整用回転体２３に対して下向き開口状の係合孔２４が係合することにより、下方側の右方の係合部分Ｆｓに対する洗浄槽前後幅方向の移動が阻止され、かつ、洗浄槽上下幅方向の移動が許容されることになり、かつ、前後位置調整用回転体２３の回転操作により、下方側の右方の係合部分Ｆｓに対する洗浄槽前後幅方向での位置が調節されることになる。
【００７５】
そして、下方側の左方の係合作用部Ｅｓも、下方側の右方の係合作用部Ｅｓと同様に、下方側の左方の係合部分Ｆｓに対する洗浄槽前後幅方向の移動が阻止され、かつ、洗浄槽上下幅方向の移動が許容されることになり、かつ、前後位置調整用回転体２３の回転操作により、上方側の左方の係合部分Ｆｕに対する洗浄槽前後幅方向での位置が調節されることになる。
【００７６】
さらに、以上の説明から明らかな如く、上方側の右方の係合作用部Ｅｕ及び下方側の右方の係合作用部Ｅｓが、上下位置調整用回転体２５の回転操作により、上方側の右方の係合部分Ｆｕ及び下方側の右方の係合部分Ｆｓに対する洗浄槽上下幅方向での位置が変更調節されることになる。
同様に、上方側の左方の係合作用部Ｅｕ及び下方側の左方の係合作用部Ｅｓが、上下位置調整用回転体２５の回転操作により、上方側の左方の係合部分Ｆｕ及び下方側の左方の係合部分Ｆｓに対する洗浄槽上下幅方向での位置が変更調節されることになる。
【００７７】
固定用ボルト２７は、上方側の右方の係合部分Ｆｕの固定用ボルト１８と同様に、右方側係合体形成体１０Ｒの下方板状部１０ｓの挿通孔２８を覆う大きさの頭部を備える又は挿通孔２８を覆う大きさの座金を介在させて装着されるものであって、板体２９の連結孔３０に螺合させて締め付けることにより、右方側係合体形成体１０Ｒの下方板状部１０ｓを板体２９に密着させた状態に固定するように構成されている。
【００７８】
また、左方側係合体形成体１０Ｌの上方板状部１０ｕが、固定受け金具２０の板状部２０ｂの横外方側に位置し、かつ、右方側係合体形成体１０Ｒの上方板状部１０ｕが、固定受け金具２０の板状部２０ｂの横外方側に位置するように構成され、また、左方側係合体形成体１０Ｌの下方板状部１０ｓが、洗浄槽接続部材７に装備した板体２９の横外方側に位置し、かつ、右方側係合体形成体１０Ｒの下方板状部１０ｓが、洗浄槽接続部材７に装備した板体２９の横外方側に位置するように構成されることによって、扉体３が洗浄槽横幅方向に移動することが規制されている。
【００７９】
以上の通り、本実施形態においては、上方側左方連結部ＵＬ、上方側右方連結部ＵＲ、下方側左方連結部ＳＬ、及び、下方側右方連結部ＳＲの夫々が、係合作用部Ｅｕ、Ｅｓと係合部分Ｆｕ、Ｆｓとを、洗浄槽上下幅方向での相対移動を許容する状態で係合させるように構成されている。
【００８０】
そして、下方側の左方の係合部分Ｆｓに、左方側係合体形成体１０Ｌの洗浄槽上下幅方向での位置を調節すべく、下方側の左方の係合作用部Ｅｓを洗浄槽上下幅方向での位置を変更調節自在に受止め支持する左方側の受止め支持体として、上下位置調整用回転体２５が設けられることになる。
同様に、下方側の右方の係合部分Ｆｓに、右方側係合体形成体１０Ｒの洗浄槽上下幅方向での位置を調節すべく、下方側の右方の係合作用部Ｅｓを洗浄槽上下幅方向での位置を変更調節自在に受止め支持する右方側の受止め支持体として、上下位置調整用回転体２５が設けられることになる。
【００８１】
ちなみに、扉体３を洗浄槽２に装着するために、扉体３に取付けた係合体Ｅを洗浄槽２の前部に設けた係合部Ｆに係合させた状態においては、左方側係合体形成体１０Ｌ及び右方側係合体形成体１０Ｒが、洗浄槽２における左右の前方張出部２ｆの間に位置するものとなるが、図２、図１５及び図１６に示すように、洗浄槽２における右方側の前方張出部２ｆには、上方側操作用窓３１及び下方側操作用窓３２が形成されている。
【００８２】
そして、上方側操作用窓３１を通して、上方側の右方の係合作用部Ｅｕと上方側の右方の係合部分Ｆｕとの係合状態の確認や、上方側の右方の係合部分Ｆｕが備える前後位置調整用回転体１６の回転操作を行うことができ、加えて、固定用ボルト１８の装着作業を行えるように構成されている。
また、下方側操作用窓３２を通して、下方側の右方の係合作用部Ｅｓと下方側の右方の係合部分Ｆｓとの係合状態の確認や、下方側の右方の係合部分Ｆｓが備える前後位置調整用回転体２３及び上下位置調整用回転体２５の回転操作を行うことができ、加えて、固定用ボルト２７の装着作業を行えるように構成されている。
【００８３】
ちなみに、図示は省略するが、上方側操作用窓３１及び下方側操作用窓３２は、左方側の前方張出部２ｆにも形成されて、上方側の左方の係合作用部Ｅｕと上方側の左方の係合部分Ｆｕとの係合状態の確認や、下方側の左方の係合作用部Ｅｓと下方側の左方の係合部分Ｆｓとの係合状態の確認等の作業を行えるように構成されている。
【００８４】
以上の通り、上方側左方連結部ＵＬ、上方側右方連結部ＵＲ、下方側左方連結部ＳＬ、及び、下方側右方連結部ＳＲの夫々が、係合作用部Ｅｕ、Ｅｓと係合部分Ｆｕ、Ｆｓとを、洗浄槽上下幅方向での相対移動を許容する状態で係合させるように構成されて、洗浄槽２に対する扉体３の洗浄槽上下幅方向での位置を変更調整自在に構成されている。また、左方取付け機構ＪＬ及び右方取付け機構ＪＲの夫々が、左方側係合体形成体１０Ｌ及び右方側係合体形成体１０Ｒを、扉体３の後面に止着される支持金具１１に対して、扉体３の横幅方向（洗浄槽横幅方向）に沿って位置調節自在な状態で取付けるように構成されて、扉体３の洗浄槽横幅方向の位置を調節自在に構成されている。
従って、上方側左方連結部ＵＬ、上方側右方連結部ＵＲ、下方側左方連結部ＳＬ、及び、下方側右方連結部ＳＲ、並びに、左方取付け機構ＪＬ及び右方取付け機構ＪＲにより、扉体装着位置調整機構Ｐが構成されている。
【００８５】
（前カバーの構成）
前カバーＭは合成樹脂製であり、図９、図２０〜図２２に示すように、正面視形状が概略長方形状に構成されるものであって、図２にも示すように、その左右両端縁夫々の上部側に、後面側に突出する状態で、ネジ挿通孔を備えた後方突起部３９が設けられ、更に、図６にも示すように、左右両端縁夫々における後方突起部３９の下方には、後面側に突出する状態で、板状の被せ部４０が各端縁に沿って設けられている。そして、図２及び図９に示すように、前カバーＭは、その左右の後方突起部３９及び被せ部４０を洗浄槽２の左右の前方張出部２ｆに被せた状態で、その上部側における左右の後方突起部３９を介して、樹脂製の装着ネジ３３にて洗浄槽２に止着されている。
【００８６】
そして、前カバーＭには、図９及び図２０に示すように、係合体Ｅにおける上方側の左右一対の係合作用部Ｅｕ及び下方側の左右一対の係合作用部Ｅｓを挿通させるために、上下方向に沿う４つのスリット状開口３４が形成されている。
また、前カバーＭには、図６、図９及び図２０に示すように、左方側係合体形成体１０Ｌや右方側係合体形成体１０Ｒにおける支持金具１１との接続部分を挿通させる４つの窓状の挿通開口３５が形成されており、扉体３を洗浄槽２の前部に装着した状態において、前カバーＭを、扉体３と洗浄槽２の間に位置させることができるように構成されている。
【００８７】
さらに、図３、図４及び図７に示すように、洗浄槽２の前部の上方箇所に取り付けられた固定受け金具２０における洗浄槽横幅方向の中央部には、扉体３を装着しない状態において、洗浄槽２を引出し操作する仮把手部２０ｃが備えられ、図９、図２０及び図２１に示すように、前カバーＭの上部側箇所には、仮把手部２０ｃを操作するための仮把手部操作用開口３６が形成されている。
そして、洗浄槽２に扉体３を装着しない状態で、仮把手部操作用開口３６を通して仮把手部２０ｃを掴んで、洗浄槽２を引出し操作することが可能に構成されている。
【００８８】
図２０〜図２２、及び、図２５に示すように、本発明では、前カバーＭに、その前カバーＭと扉体３との間の上端から浸入してそれらの間を流下する湯水Ｗを前カバー横幅方向（即ち、洗浄槽横幅方向）の全幅又はその全幅に近い範囲で受け止め、受け止めた湯水Ｗを前カバーＭを通過させてその後面側に流動させて、本体ケーシング１に設けられたドレンパン３７（図１及び図１９参照）に流下させる前カバー通過案内部Ｚが設けられている。
そして、前カバーＭは、上述した左右の後方突起部３９及び左右の被せ部４０、並びに、以下のように構成される前カバー通過案内部Ｚを一体的に備える形状に樹脂成型により形成される。
【００８９】
本実施形態では、前カバー通過案内部Ｚが、前カバーＭの前面部の上端側において、湯水Ｗを受け止め且つ受け止めた湯水Ｗを前カバーＭを通過させてその後面側に流動させるように作用する上方側作用部Ｚｕと、その上方側作用部Ｚｕが湯水Ｗを受け止める箇所よりも下方側にて、湯水Ｗを受け止め且つ受け止めた湯水Ｗを前カバーＭを通過させてその後面側に流動させるように作用する下方側作用部Ｚｓとを備えて構成されている。
【００９０】
そして、上方側作用部Ｚｕが、前カバーＭの前面部における上端側の部分に、その前面部から前方に突出する状態で、前カバー横幅方向に沿って伸びるように設けられた上側前方突出部４１と、その上側前方突出部４１の上面部４１ｍにて受けられた湯水Ｗを受け入れて前カバーＭの後面側に流出させるべく、前カバー横幅方向に伸びる状態で前カバーＭに形成された通水スリット４２と、その通水スリット４２から流出した湯水Ｗを前カバーＭの後方側に流動させてドレンパン３７に流下させる後方側流動案内部Ｙを備えて構成されている。
【００９１】
図２２に示すように、その後方側流動案内部Ｙが、通水スリット４２から流出した湯水Ｗを受けるべく、前カバーＭの後面部から後方に突出する状態で、通水スリット４２における前カバー横幅方向の全幅にわたって設けられた上側後方突出部４８を備えて構成されている。
そして、その上側後方突出部４８における前カバー横幅方向の所定の箇所に、前カバー上下幅方向（即ち、洗浄槽上下幅方向）に貫通する流下孔４９が設けられ、上側後方突出部４８の上面部４８ｍに、凹溝状の導水溝５０が、その底部が流下孔４９に近づくほど下位となる傾斜状になる状態で、前カバー横幅方向に沿って設けられている。
【００９２】
また、図２０〜図２２、及び、図２５に示すように、下方側作用部Ｚｓが、上面部４３ｍが前カバー横幅方向の一端の流下用端部４３ｅ側ほど下位となる傾斜状になる形態で、前カバーＭの前面部から前方に突出する状態で設けられた下側前方突出部４３と、その下側前方突出部４３の上面部４３ｍの流下用端部４３ｅから流下する湯水Ｗを流下案内すべく、後方側に凹む凹溝状で前カバー上下幅方向に沿って設けられた流下案内路４４と、その流下案内路４４を流下する湯水Ｗを受け止めるべく、流下案内路４４の下端を閉止する形態で設けられた流下案内路閉止部４５と、その流下案内路閉止部４５にて受け止められた湯水Ｗを受け入れて前カバーＭの後面側に流出させるべく、前カバーＭにおける流下案内路４４の下端に相当する箇所に形成された通水孔４６と、その通水孔４６から流出した湯水Ｗを前カバーＭの後方側に流動させてドレンパン３７に流下させるべく、前カバーＭの後面部から後方に突出する状態で設けられた下側後方突出部４７とを備えて構成されている。
【００９３】
以下、前カバー通過案内部Ｚについて説明を加える。
図２０及び図２１に示すように、前カバーＭの前面部から前方に突出する上側前方突出部４１は、前カバー上下幅方向において左右の後方突起部３９の上端と略同位置に位置させて、前カバー横幅方向に沿って前カバーＭにおける前カバー横幅方向の全長にわたって直線状に伸びる状態で、前カバーＭの前面部に設けられている。
つまり、この上側前方突出部４１の上面部４１ｍは、前カバー横幅方向及び洗浄槽前後幅方向（即ち、前カバー厚さ方向）に沿うように構成されて、食器洗浄機ＳがシステムキッチンＫに設置された状態では、略水平方向に沿うように構成されている。
そして、この上側前方突出部４１の上面部４１ｍにより、湯水Ｗを前カバーＭにおける前カバー横幅方向の全幅にわたって受け止めることが可能なように構成されている。
【００９４】
本実施形態では、４個の通水スリット４２が、夫々の長さ方向を前カバー横幅方向に沿わした状態で、前カバー横幅方向に沿って並べて前カバーＭに形成されている。
図２５に示すように、上側前方突出部４１と各通水スリット４２との前カバー上下幅方向における相対位置関係は、上側前方突出部４１の上面部４１ｍと、各通水スリット４２の開口縁における前カバー上下幅方向の下方の開口縁部分とが、前カバー上下幅方向において略同位置に位置する（即ち、略同高さとなる）位置関係に設定されている。
【００９５】
図２０及び図２１に示すように、下側前方突出部４３は、正面視で概略四角形状を呈する形態で、洗浄槽前後幅方向の前方に台状に突出するように、前カバーＭに設けられている。そして、本実施形態では、２個の下側前方突出部４３，４３が、前カバーＭの前面部における前カバー上下幅方向の下端側に、夫々の上面部４３ｍの流下用端部４３ｅを前カバー横幅方向の内方側に位置させた姿勢で、互いの間に前カバー上下幅方向に沿って伸びる流下案内路４４を形成すべく、前カバー横幅方向において所定の間隔を隔てて並べて設けられている。
尚、以下の説明では、２個の下側前方突出部４３，４３を区別して説明する場合、正面視において左側のもの（図２０及び図２１の紙面上で左側のもの）を左側の下側前方突出部４３と称し、右側のもの（図２０及び図２１の紙面上で右側のもの）を右側の下側前方突出部４３と称する。
【００９６】
上述のように、左右の下側前方突出部４３，４３が、前カバー横幅方向において所定の間隔を隔てて並べて設けられた状態では、左右の下側前方突出部４３，４３の上面部４３ｍは、前カバーＭにおける前カバー横幅方向の全幅近くにわたって伸びるように構成されて、左右の下側前方突出部４３，４３の上面部４３ｍ，４３ｍにより、湯水Ｗを前カバーＭにおける前カバー横幅方向の全幅に近い範囲で受け止めることが可能なように構成されている。
【００９７】
左右の下側前方突出部４３，４３は、夫々、前カバーＭの下端縁まで伸びるように設けられ、左側の下側前方突出部４３に、左側下方のスリット状開口３４及び挿通開口３５が形成され、右側の下側前方突出部４３に、右側下方のスリット状開口３４及び挿通開口３５が形成されている。
つまり、流下案内路４４は、左右の下側前方突出部４３，４３により凹溝の両側部が囲われて、洗浄槽前後幅方向の後方側に凹む凹溝状に構成され、その流下案内路４４が、前カバーＭの前面部における前カバー横幅方向の略中央に、前カバー上下幅方向に沿って前カバーＭの下端にまで伸びる状態で設けられている。
【００９８】
左側の下側前方突出部４３の上面部４３ｍは、前カバー横幅方向の中央側（右側）の流下用端部４３ｅ側ほど漸次下位となる右下がり状の傾斜面に形成されている。また、右側の下側前方突出部４３の上面部４３ｍは、前カバー横幅方向の中央側（左側）の流下用端部４３ｅ側ほど漸次下位となる左下がり状の傾斜面に形成されている。つまり、正面視において、左側の下側前方突出部４３の上面部４３ｍと右側の下側前方突出部４３の上面部４３ｍとが、概略Ｖ字状になるように構成されている。ただし、正面視でＶ字状となる左右の下側前方突出部４３，４３夫々の上面部４３ｍ，４３ｍの流下用端部４３ｅ，４３ｅ同士の間は、流下案内路４４によって隔てられている。
【００９９】
図２０及び図２１に示すように、流下案内路閉止部４５は、左右の下側前方突出部４３，４３の間の流下案内路４４の下端を閉止するように、左側の下側前方突出部４３の下端と右側の下側前方突出部４３の下端とに跨る形態で前カバーＭの下端に設けられている。
通水孔４６は、左右の下側前方突出部４３，４３の間の流下案内路４４内における前カバー上下幅方向の下端に位置させて、前カバー厚さ方向に貫通するように、前カバーＭに形成されている。
【０１００】
図２２及び図２５に示すように、前カバーＭの後面部から後方側に突出する上側後方突出部４８は、前カバーＭにおける前カバー横幅方向の全幅にわたって直線状に伸びて、左右の後方突起部３９に架け渡された状態で、前カバーＭの後面部に設けられている。
この上側後方突出部４８の上面部４８ｍは、前カバー横幅方向及び前カバー厚さ方向に沿うように構成されており、食器洗浄機ＳがシステムキッチンＫに設置された状態では、略水平方向に沿うように構成されている。
【０１０１】
流下孔４９は、上側後方突出部４８における前カバー横幅方向の左端側の部分に、前カバー上下幅方向に貫通する状態で形成されている。また、導水溝５０は、底部が流下孔４９に近づくほど漸次下位となる左下がり傾斜状で流下孔４７に連通するように、上側後方突出部４８の上面部４８ｍに形成されている。
【０１０２】
また、下側後方突出部４７は、前カバーＭの後面部の下端縁から洗浄槽前後幅方向の後方側に突出する状態で、その下端縁の全長にわたって設けられている。この下側後方突出部４７の上面部は、上述した流下案内路閉止部４５の上面部と一連の平面を形成するように構成されている。
さらに、下側後方突出部４７には、平面視において、上側後方突出部４８の流下孔４９と重なるように、即ち、その流下孔４９の鉛直方向の下方に位置させて、通水用切り欠き５１が形成されている。
【０１０３】
図２０及び図２１に示すように、前カバーＭにおける左側上方の挿通開口３５及び右側上方の挿通開口３５夫々の上方には、前カバーＭの前面部から前方に庇状に突出する庇状突出部５２が設けられている。各庇状突出部５２は、各挿通開口３５の上端縁に沿って前カバー横幅方向に伸びる状態で設けられている。
各庇状突出部５２における前カバー横幅方向の外方側の端部は上方に屈曲され、前カバー横幅方向の内方側の端部は下方に屈曲されている。
【０１０４】
このように構成された前カバーＭが、上述のように、左右の後方突起部３９を介して、２本の装着ネジ３３にて洗浄槽２の前部に装着されることになる。
次に、扉体３を前カバーＭが装着された状態の洗浄槽２に装着する手順について、説明を加える。
図２３、図２４及び図２５に示すように、扉体３を前カバーＭが装着された状態の洗浄槽２に装着するときは、前カバーＭの前面部において、その上端に位置させて１段目のシール部材５４が装備され、上側前方突出部４１の前部に位置させて２段目のシール部材５５が装備され、左右の下側前方突出部４３，４３夫々の前部の上端に夫々位置させて左右一対の３段目のシール部材５６が装備され、左右の下側前方突出部４３，４３夫々の前部の下端側の部分に夫々位置させて左右一対の４段目のシール部材５７が装備される。
【０１０５】
１段目から４段目のシール部材５４，５５，５６，５７は、夫々、柔軟性を有すると共に湯水Ｗを通さない材料でテープ状に形成されている。
１段目のシール部材５４は、その上端縁を前カバーＭの前面部の上端縁に合わせた状態で、前カバーＭの前面部の上端に前カバー横幅方向の全長にわたって設けられている。
２段目のシール部材５５は、その上端縁を上側前方突出部４１の上端縁に合わせた状態で、前カバーＭの上側前方突出部４１の前部に前カバー横幅方向の全長にわたって設けられている。
【０１０６】
左右一対の３段目のシール部材５６のうちの一方は、その上端縁を左側の下側前方突出部４３の上端縁に合わせた右下がり傾斜状で、その上端縁の全長にわたって設けられ、他方は、その上端縁を右側の下側前方突出部４３の上端縁に合わせた左下がり傾斜状で、その上端縁の全長にわたって設けられている。つまり、正面視において、左右の３段目のシール部材５６，５６が、概略Ｖ字状になるように設けられている。ただし、正面視でＶ字状となる左右の３段目のシール部材５６，５６夫々の前カバー横幅方向中央側の端部同士の間は、流下案内路４４によって隔てられている。
【０１０７】
左右一対の４段目のシール部材５７のうちの一方は、最下部となる前カバー横幅方向中央側の端部（右端）が通水孔４６の上方に近接する右下がり傾斜状で、左側の下側前方突出部４３の前部の下方側にその前カバー横幅方向の全長にわたって設けられ、他方は、最下部となる前カバー横幅方向中央側の端部（左端）が通水孔４６の上方に近接する左下がり傾斜状で、右側の下側前方突出部４３の前部の下方側にその前カバー横幅方向の全長にわたって設けられている。つまり、正面視において、左右の４段目のシール部材５７，５７が、概略Ｖ字状になるように設けられている。ただし、正面視でＶ字状となる左右の４段目のシール部材５７，５７夫々の端部同士の間は、流下案内路４４によって隔てられている。
【０１０８】
そして、先ず、扉体３の後面に装着した係合体Ｅにおける上方側の左右一対の係合作用部Ｅｕ及び下方側の左右一対の係合作用部Ｅｓを、前カバーＭのスリット状開口３４を通して、前カバーＭの内部に挿入し、次に、上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させることになる（図１８参照）。
【０１０９】
具体的には、左方側係合体形成体１０Ｌや右方側係合体形成体１０Ｒにおける上方板状部１０ｕの係合孔１７を、上方側の係合部分Ｆｕの前後位置調整用回転体１６に係合させる。
同様に、左方側係合体形成体１０Ｌや右方側係合体形成体１０Ｒにおける下方板状部１０ｓの係合孔２４を、下方側の係合部分Ｆｕの前後位置調整用回転体２３に係合させ、かつ、下方板状部１０ｓの接当部２６を下方側の係合部分Ｆｓの上下位置調整用回転体２５に接当する状態に載せ付ける。
【０１１０】
次に、係合体Ｅにおける上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させた状態において、扉体３の洗浄槽上下幅方向での位置、扉体３の洗浄槽前後幅方向での位置、及び、扉体３の洗浄槽横幅方向での位置を調節することになり、加えて、扉体３の前後方向での傾きや左右方向での傾きを調節することになる。
【０１１１】
具体的には、左右一対の下方側の係合部分Ｆｓに装備した上下位置調整用回転体２５を回転操作することにより、扉体３の洗浄槽上下幅方向での位置を調節する。
また、上方側の左右一対の係合部分Ｆｕに装備した前後位置調整用回転体１６及び下方側の左右一対の係合部分Ｆｓに装備した前後位置調整用回転体２３の回転操作により、扉体３の洗浄槽前後幅方向での位置を調節することになる。
この際、左右の前後位置調整用回転体１６及び左右の前後位置調整用回転体２３の回転操作により、扉体３の上方側の左右両側部分及び下方側の左右両側部分についての洗浄槽前後幅方向での位置を調節することにより、扉体３の前後方向での傾きや左右方向での傾きを調節することができる。
【０１１２】
また、必要に応じて、頭付ボルト１４を操作しながら、左方側係合体形成体１０Ｌや右方側係合体形成体１０Ｒの扉体３に対する横幅方向での位置を調節することによって、扉体３の洗浄槽横幅方向での位置を調節することができる。
【０１１３】
そして、扉体３の洗浄槽２に対する位置調節が終了すると、上方側の左右一対の係合部分Ｆｕに対応する固定用ボルト１８及び下方側の左右一対の係合部分Ｆｓに対応する固定用ボルト２７を締結し、また、４つの頭付ボルト１４を締結する締結作業を行う。
【０１１４】
ちなみに、扉体３を洗浄槽２の前部に装着する作業を行う際には、装着ネジ３３を少し緩めて、前カバーＭを前後に揺動できる状態にしておき、上述した締結作業が終了した段階で、前カバーＭを扉体３後面に密着させるように揺動させ、その後、装着ネジ３３を締め付けて、前カバーＭを固定することになる。
【０１１５】
図示を省略するが、上述のように、前カバーＭが装着された洗浄槽２の前部に扉体３を装着して、洗浄槽２を収納位置に位置させると、前カバーＭの下端部がドレンパン３７の前端部の上方に位置するように構成されている。従って、後述するように、前カバーＭの通水用切り欠き５１を通って落下する湯水Ｗや、前カバーＭの下側後方突出部４７の後端縁から落下する湯水Ｗは、ドレンパン３７に受け止められる。
【０１１６】
以上のように、前カバーＭが前部に装着された洗浄槽２の前部に扉体３を装着すると、図２３及び図２５に示すように、１段目のシール部材５４により、前カバーＭの上端部と扉体３の上端部との間が、前カバー横幅方向の全長にわたって、湯水Ｗを通さないように封止される。
また、２段目のシール部材５５により、前カバーＭの上側前方突出部４１と扉体３との間が、前カバー横幅方向の全長にわたって、湯水Ｗを通さないように封止される。
また、左側の３段目のシール部材５６により、左側の下側前方突出部４３の前部の上端縁部と扉体３との間が、その下側前方突出部４３の上端縁の全長にわたって、湯水Ｗを通さないように封止され、右側の３段目のシール部材５６により、右側の下側前方突出部４３の前部の上端縁部と扉体３との間が、その下側前方突出部４３の上端縁の全長にわたって、湯水Ｗを通さないように封止される。
さらに、左側の４段目のシール部材５７により、左側の下側前方突出部４３の前部の下方側部分と扉体３との間が、前カバー横幅方向の全長にわたって、湯水Ｗを通さないように封止され、右側の４段目のシール部材５７により、右側の下側前方突出部４３の前部の下方側部分と扉体３との間が、前カバー横幅方向の全長にわたって、湯水Ｗを通さないように封止される。
【０１１７】
上述のように、前カバーＭと扉体３との間が１段目のシール部材５４により封止されているので、発生するのは稀であるが、洗浄槽２の上部の開口から飛び出して前カバーＭの上端部と扉体３の上端部との間から浸入した湯水Ｗが、１段目のシール部材５４を通過して下方に流動する場合が起こり得る。
次に、図２１、図２２及び図２５に基づいて、このように洗浄槽２の上部の開口から飛び出した湯水Ｗが１段目のシール部材５４を通過した場合の挙動を矢印にて説明する。但し、図２５においては、矢印を記載していない。
【０１１８】
１段目のシール部材５４を通過して流下する湯水Ｗは、上側前方突出部４１の上面部４１ｍや２段目のシール部材５５の上面部にて受け止められる。それらによって受け止められた湯水Ｗは、通水スリット４２を前カバーＭの後面側に通過して、上側後方突出部４８の上面部４８ｍを後方側に流動して導水溝５０に流入する。導水溝５０に流入した湯水Ｗは、その導水溝５０を流下孔４９に向かって流動し、その流下孔４９から流下する。流下孔４９から流下した湯水Ｗは、前カバーＭの後面部を伝って流下して、下側後方突出部４７の後端縁からドレンパン３７に落下するか、あるいは、前カバーＭの後面部を伝わずに落下して通水用切り欠き５１を通って、ドレンパン３７に落下する。
【０１１９】
前カバーＭの上側前方突出部４１と扉体３との間が２段目のシール部材５５により封止されているにも拘らず、その間を湯水Ｗが通過した場合は、前カバーＭの前面部を伝って更に流下することになる。
この場合、上方の左右の挿通開口３５の上方には庇状突出部５２が設けられていて、湯水Ｗがその庇状突出部５２にて受け止められるので、湯水Ｗが上方の左右の挿通開口３５の前方を落下したり、その挿通開口３５を通って前カバーＭの後面側に流動するのが防止される。従って、上方の左右の挿通開口３５の挿通されている左方側係合体形成体１０Ｌや右方側係合体形成体１０Ｒの支持金具１１との接続部分が湯水Ｗで濡れるのを回避することができる。
【０１２０】
各庇状突出部５２における前カバー横幅方向外方側の端部は上方に屈曲され、前カバー横幅方向内方側の端部は下方に屈曲されているので、各庇状突出部５２の上面で受け止められた湯水Ｗは、各庇状突出部５２における前カバー横幅方向の内方側の端部から流下する。
そのように各庇状突出部５２における前カバー横幅方向の内方側の端部から流下して前カバーＭの前面部を伝って流下する湯水Ｗや、前カバーＭの前面部における左右の庇状突出部５２の間を伝って流下する湯水Ｗは、左側の下側前方突出部４３の右下がり傾斜状の上面部４３ｍや左側の３段目のシール部材５６の上面部、あるいは、右側の下側前方突出部４３の左下がり傾斜状の上面部４３ｍや右側の３段目のシール部材５６の上面部にて受け止められて、前カバー横幅方向の中央側に流動して、流下用端部４３ｅから流下案内４４に流下流入し、その流下案内路４４を流下する。
【０１２１】
流下案内路４４を流下する湯水Ｗは、流下案内路閉止部４５にて受け止められて、通水孔４６を前カバーＭの後面側に通過し、下側後方突出部４７を後方側に流動して、その後端縁からドレンパン３７に落下する。
【０１２２】
上述のように、扉体３と前カバーＭとの間は、前カバー上下幅方向に並ぶ１段目から４段目のシール部材５４，５５，５６，５７にて４段で封止されているので、下方側のシール部材ほど湯水Ｗが通過する可能性が低くなる。万が一、湯水Ｗが３段目のシール部材５６を通過したとしても、その湯水Ｗは、４段目のシール部材５７に受け止められるので、湯水Ｗが４段目のシール部材５７を通過するのを確実に防止することができる。
従って、洗浄槽２の上部の開口から飛び出した湯水Ｗが前カバーＭの上端部と扉体３の上端部との間に浸入したとしても、キッチンの床上に滴下するのを十分に抑制することができる。
尚、洗浄槽２の上部の開口から飛び出した湯水Ｗが前カバーＭと洗浄槽２の上端部との間に浸入したとしても、浸入した湯水Ｗは、前カバーＭの後面部を伝って流下して、下側後方突出部４７に受け止められ、その後端縁からドレンパンＭに落下するので、湯水Ｗがキッチンの床上に滴下することはない。
【０１２３】
〔別実施形態〕
次に別実施形態を説明する。
（イ）  前カバー通過案内部Ｚの具体的な構成は、上記の実施形態において例示した構成、即ち、湯水Ｗを受け止め且つ受け止めた湯水Ｗを前カバーＭを通過させてその後面側に流動させるように作用する作用部として、上方側作用部Ｚｕと下方側作用部Ｚｓとの２つを備えた構成に限定されるものではない。例えば、前カバー通過案内部Ｚを構成するに、前述の作用部を湯水Ｗを受け止める箇所を洗浄槽上下幅方向に異ならせた状態で、３つ以上備えて構成しても良い。
また、前カバー通過案内部Ｚを構成するに、湯水Ｗを洗浄槽上下幅方向の１箇所で受け止めるように構成しても良い。
あるいは、前カバー通過案内部Ｚを構成するに、湯水Ｗを洗浄槽上下幅方向の複数箇所で受け止めて、受け止めた湯水Ｗを前カバーＭを通過させてその後面側に流動させ、そのように複数箇所夫々から後面側に流動する湯水Ｗを１箇所に集まるように流動させて、ドレンパン３７に流下させるように構成しても良い。
【０１２４】
（ロ）  上記の実施形態では、ドレンパン３７を本体ケーシング１に設けたが、洗浄槽２の底部に設けても良い。この場合、洗浄槽２を収納位置から前方に引き出している状態においても、前カバー通過案内部Ｚにより前カバーＭの後面側に流動させられた湯水Ｗをドレンパン３７に流下させることが可能となるので、湯水Ｗが床に滴下するのをより一層抑制することができる。
【０１２５】
（ハ）  上記の実施形態において、庇状突出部５２を、その上面が前カバー横幅方向の中央側ほど漸次下位となる傾斜状になる状態で設けても良い。この場合、庇状突出部５２の上面部にて受け止められた湯水Ｗを迅速に流下案内路４４に流入させることができる。
【０１２６】
（ニ）  上記の実施形態では、上側前方突出部４１や下側前方突出部４３を、樹脂成型により前カバーＭに一体的に備えさせたが、上側前方突出部４１や下側前方突出部４３を、前カバーＭとは別体のシール部材にて構成しても良い。即ち、上記の実施形態における２段目のシール部材５５を上側前方突出部４１として機能させ、３段目のシール部材５６を下側前方突出部４３として機能させるように構成する。
【０１２７】
（ホ）  上記の実施形態では、複数の通水スリット４２を、夫々の長さ方向を前カバー横幅方向に沿わした状態で、前カバー横幅方向に沿って並べて形成したが、１個の通水スリット４２を、前カバーＭにおける前カバー横幅方向の全幅近くにわたって伸びるように形成しても良い。
【０１２８】
（ヘ）  ２段目から４段目のシール部材５５，５６，５７を省略しても良い。この場合は、扉体３を、前カバーＭを前部に装着した洗浄槽２の前部に装着するに当たって、上側前方突出部４１及び下側前方突出部４３を夫々扉体３の後面に密着させることが可能なように構成する。
【符号の説明】
【０１２９】
１      本体ケーシング
２      洗浄槽
３      扉体
１０Ｌ  左方側係合体形成体（係合体を構成する部材）
１０Ｒ  右方側係合体形成体（係合体を構成する部材）
３５    挿通開口
３７    ドレンパン（水受け部）
４１    上側前方突出部
４１ｍ  上面部
４２    通水スリット
４３    下側前方突出部
４３ｅ  流下用端部
４３ｍ  上面部
４４    流下案内路
４５    流下案内路閉止部
４６    通水孔
４７    下側後方突出部
４８    上側後方突出部
４８ｍ  上面部
４９    流下孔
５０    導水溝
５２    庇状突出部
５５    シール部材
５６    シール部材
５７    シール部材
Ａ      洗浄槽挿脱用開口
Ｅ      係合体
Ｆ      係合部
Ｍ      前カバー
Ｗ      湯水
Ｙ      後方側流動案内部
Ｚ      前カバー通過案内部
Ｚｓ    下方側作用部
Ｚｕ    上方側作用部
【図１】
2014171675.tif 000003
【図２】
2014171675.tif 000004
【図３】
2014171675.tif 000005
【図４】
2014171675.tif 000006
【図５】
2014171675.tif 000007
【図６】
2014171675.tif 000008
【図７】
2014171675.tif 000009
【図８】
2014171675.tif 000010
【図９】
2014171675.tif 000011
【図１０】
2014171675.tif 000012
【図１１】
2014171675.tif 000013
【図１２】
2014171675.tif 000014
【図１３】
2014171675.tif 000015
【図１４】
2014171675.tif 000016
【図１５】
2014171675.tif 000017
【図１６】
2014171675.tif 000018
【図１７】
2014171675.tif 000019
【図１８】
2014171675.tif 000020
【図１９】
2014171675.tif 000021
【図２０】
2014171675.tif 000022
【図２１】
2014171675.tif 000023
【図２２】
2014171675.tif 000024
【図２３】
2014171675.tif 000025
【図２４】
2014171675.tif 000026
【図２５】
2014171675.tif 000027
【図２６】
2014171675.tif 000028
【図２７】
2014171675.tif 000029